(57)【要約】      （修正有）【課題】開封後の中栓の密封性を損なったり、内容物の取り出しを阻害することのないシール容器を提供する。【解決手段】中栓１０の天板部１１がシール材２０の貼着部２３の上面に密着すると共に、容器開口縁部２の貼着部２３の下方の容器開口周辺部３と中栓スカート部１２との間に装着部３０を設け、装着部３０の非係合部にシール材１０の剥がし用把持片部２２を収容する把持片用空間部３１を設けてなるシール容器。【選択図】図１
2007168805.tif 000002
【特許請求の範囲】
【請求項１】
容器開口縁部に熱溶着により貼着すべきシール材を予め収容した中栓を容器開口部に装着し中栓上から熱溶着するようになしたシール容器において、熱溶着剤を施した剥がし用把持片部を一体に有するシール材を設け、中栓の天板部が少なくともシール材が容器開口縁部に貼着する貼着部の上面に密着すると共に、容器開口縁部の貼着部の下方の容器開口周辺部と中栓スカート部との間に装着部を設け、該装着部の直接接触して係合する係合部分以外の非係合部に前記シール材の剥がし用把持片部を収容する把持片用空間部を設けてなるシール容器。
【請求項２】
請求項１に記載のシール容器において、容器開口周辺部と中栓スカート部との装着部が嵌着による装着部であるシール容器。
【請求項３】
請求項１に記載のシール容器において、容器開口周辺部と中栓スカート部との装着部が螺合による装着部であるシール容器。
【請求項４】
請求項１、２又は３に記載のシール容器において、把持片用空間部が容器開口周辺部の全周に渡って設けてあるシール容器。
【請求項５】
請求項１乃至４のいずれかに記載のシール容器において、把持片用空間部が容器開口周辺部の一個所又は複数個所に設けてあるシール容器。
【請求項６】
請求項１乃至５のいずれかに記載のシール容器において、把持用空間部が容器開口縁部の貼着部の下方に指先で持ち易い長さに設けてあるシール容器。
【請求項７】
請求項１乃至６のいずれかに記載のシール容器において、シール材の剥がし用把持片部が把持片用空間部に対応して設けてあるシール容器。
【請求項８】
請求項７に記載のシール容器において、シール材の剥がし用把持片部が貼着部の全周に渡って設けてあるシール容器。
【請求項９】
請求項７に記載のシール容器において、シール材の剥がし用把持片部が貼着部の周辺の一個所又は複数個所に対応して個別に設けてあるシール容器。
【請求項１０】
請求項１乃至９のいずれかに記載のシール容器において、シール材の剥がし用把持片部が貼着部の外縁部から指先で持ち易い長さに設けてあるシール容器。
【請求項１１】
請求項１乃至１０のいずれかに記載のシール容器において、把持片用空間部が容器開口周辺部に設けてあるシール容器。
【請求項１２】
請求項１１に記載のシール容器において、把持片用空間部が容器開口周辺部を切り欠いて設けてあるシール容器。
【請求項１３】
請求項１１に記載のシール容器において、把持片用空間部が容器開口縁部の外径を容器開口周辺部より小さくすることによって設けてあるシール容器。
【請求項１４】
請求項１乃至１３のいずれかに記載のシール容器において、把持片用空間部が容器開口周辺部に相対する中栓スカート部に設けてあるシール容器。
【請求項１５】
請求項１４に記載のシール容器において、把持片用空間部が中栓スカート部の外周に開口部を有するシール容器。
【請求項１６】
請求項１５に記載のシール容器において、把持片用空間部の開口部が中栓スカート部の切欠部からなるシール容器。
【請求項１７】
請求項１５又は１６に記載のシール容器において、把持片用空間部の開口部からシール材の剥がし用把持片部が露出しているシール容器。
【請求項１８】
請求項１乃至１７に記載のシール容器において、シール材を中栓内に収容し、剥がし用把持片部を把持片用空間部に対応する位置に装着して溶着部を熱溶着してなるシール容器。
【発明の詳細な説明】
【技術分野】
【０００１】
本発明は、容器開口縁部に熱溶着により貼着すべきシール材を予め天板部付近に収容した中栓を容器開口部に装着し、中栓上からシール材を容器開口縁部に熱溶着するようになしたシール容器に関する。
【背景技術】
【０００２】
従来、容器開口縁部に熱溶着により貼着したシール材は、貼着部が強固に容器開口縁部に接着するため、使用時にきれいに剥がすのが困難で、金具を使って容器開口部を覆うシール材に孔を開けそのまま使用したり、貼着部を含めて容器開口部のシール材の一部を残して剥ぎ取って使用していた。
【０００３】
また、シール材を剥ぎ取る構成を止めて、容器開口縁部に熱溶着により貼着するシール材の中央に予め吐出口形状の切り口を設けて、シール材を中栓とみなして、シール材の上面に手指で容易に剥離可能なガスバリヤフィルム層を貼着して蓋材とし、該フィルム層からなる蓋材を取り去るときに同時に前記切り口を伴って開口して使用するものが知られている（特許文献１参照）。
【特許文献１】特開平１０−１２９６９４
【発明の開示】
【発明が解決しようとする課題】
【０００４】
容器開口縁部に貼着したシール材に孔を開けて使用する場合には、孔開け作業が煩わしくて容易でないばかりでなく、残ったシール材がその上から被せた中栓の密封性を損なったり、内容物の取り出しを阻害する課題があり、また、シール材を剥ぎ取る構成を止めて、シール材に予め吐出口形状の切り口を設けて中栓とし、その上面を手指で容易に剥離可能なガスバリヤフィルム層を貼着して蓋材としたものでは、構造が複雑で高価になるばかりでなく、孔開けシール材は中栓としての性能に確実性がなく、且つシール材からなる中栓が容器に固定されているため、廃棄処理の時に容器との分別に困難がある課題があった。
また、容器開口縁部より外側に大きな面積を有するシール材を中栓に収容して熱溶着したとしても、シール材が容器開口縁部の外側まで一体に貼着してしまうから、いっそうはがすのが困難になる課題があり、容器開口縁部より外側に熱溶着剤を施さない大きな面積を有するシール材を使用する場合には、シール材の加工と中栓への収容及び中栓の容器開口部への装着が困難になる課題があった。
【課題を解決するための手段】
【０００５】
そこで、本発明は、請求項１に記載のように、容器開口縁部に熱溶着により貼着すべきシール材を予め収容した中栓を容器開口部に装着し中栓上から熱溶着するようになしたシール容器において、熱溶着剤を施した剥がし用把持片部を一体に有するシール材を設け、中栓の天板部が少なくともシール材が容器開口縁部に貼着する貼着部の上面に密着すると共に、容器開口縁部の貼着部の下方の容器開口周辺部と中栓スカート部との間に装着部を設け、該装着部の直接接触して係合する係合部分以外の非係合部に前記シール材の剥がし用把持片部を収容する把持片用空間部を設けてなるシール容器を提供するものである。
【０００６】
また、本発明は、請求項２に記載のように、請求項１に記載のシール容器において、容器開口周辺部と中栓スカート部との装着部が嵌着による装着部であるシール容器を提供するものである。
また、本発明は、請求項３に記載のように、請求項１に記載のシール容器において、容器開口周辺部と中栓スカート部との装着部が螺合による装着部であるシール容器を提供するものである。
【０００７】
また、本発明は、請求項４に記載のように、請求項１、２又は３に記載のシール容器において、把持片用空間部が容器開口周辺部の全周に渡って設けてあるシール容器を提供するものである。
また、本発明は、請求項５に記載のように、請求項１乃至４のいずれかに記載のシール容器において、把持片用空間部が容器開口周辺部の一個所又は複数個所に設けてあるシール容器を提供するものである。
【０００８】
また、本発明は、請求項６に記載のように、請求項１乃至５のいずれかに記載のシール容器において、把持用空間部が容器開口縁部の貼着部の下方に指先で持ち易い長さに設けてあるシール容器を提供するものである。
また、本発明は、請求項７に記載のように、請求項１乃至６のいずれかに記載のシール容器において、シール材の剥がし用把持片部が把持片用空間部に対応して設けてあるシール容器を提供するものである。
また、本発明は、請求項８に記載のように、請求項７に記載のシール容器において、シール材の剥がし用把持片部が貼着部の全周に渡って設けてあるシール容器を提供するものである。
【０００９】
また、本発明は、請求項９に記載のように、請求項７に記載のシール容器において、シール材の剥がし用把持片部が貼着部の周辺の一個所又は複数個所に対応して個別に設けてあるシール容器を提供するものである。
また、本発明は、請求項１０に記載のように、請求項７乃至９のいずれかに記載のシール容器において、シール材の剥がし用把持片部が貼着部の外縁部から指先で持ち易い長さに設けてあるシール容器を提供するものである。
【００１０】
また、本発明は、請求項１１に記載のように、請求項１乃至１０のいずれかに記載のシール容器において、把持片用空間部が容器開口周辺部に設けてあるシール容器を提供するものである。
また、本発明は、請求項１２に記載のように、請求項１１に記載のシール容器において、把持片用空間部が容器開口周辺部を切り欠いて設けてあるシール容器を提供するものである。
また、本発明は、請求項１３に記載のように、請求項１１に記載のシール容器において、把持片用空間部が容器開口縁部の外径を容器開口周辺部より小さくすることによって設けてあるシール容器を提供するものである。
【００１１】
また、本発明は、請求項１４に記載のように、請求項１乃至１２のいずれかに記載のシール容器において、把持片用空間部が容器開口周辺部に相対する中栓スカート部に設けてあるシール容器を提供するものである。
また、本発明は、請求項１５に記載のように、請求項１４に記載のシール容器において、把持片用空間部が中栓スカート部の外周に開口部を有するシール容器を提供するものである。
また、本発明は、請求項１６に記載のように、請求項１５に記載のシール容器において、把持片用空間部の開口部が中栓スカート部の切欠部からなるシール容器を提供するものである。
【００１２】
また、本発明は、請求項１７に記載のように、請求項１５又は１６に記載のシール容器において、把持片用空間部の開口部からシール材の剥がし用把持片部が露出しているシール容器を提供するものである。
また、本発明は、請求項１８に記載のように、請求項１乃至１７に記載のシール容器において、シール材を中栓内に収容し、剥がし用把持片部を把持片用空間部に対応する位置に装着して溶着部を熱溶着してなるシール容器を提供するものである。
【発明の効果】
【００１３】
本発明に係るシール容器によれば、請求項１に記載のように、容器開口縁部に熱溶着により貼着すべきシール材を予め収容した中栓を容器開口部に装着し中栓上から熱溶着するようになしたシール容器において、熱溶着剤を施した剥がし用把持片部を一体に有するシール材を設け、中栓の天板部が少なくともシール材が容器開口縁部に貼着する貼着部の上面に密着すると共に、容器開口縁部の貼着部の下方の容器開口周辺部と中栓スカート部との間に装着部を設け、該装着部の直接接触して係合する係合部分以外の非係合部に前記シール材の剥がし用把持片部を収容する把持片用空間部を設けてなる構成を有することにより、容器開口縁部に熱溶着により貼着したシール材の剥がし用把持片部が把持片用空間部に収納されることによって、中栓の容器開口部への装着を確実にするのみならず、容器開口周辺部に密着することがないから、熱溶着剤を施してあっても貼着することがない効果がある。
【００１４】
よって、熱溶着剤を一面に施したシール材の原材料から、打ち抜きによって剥がし用把持片部を有するシール材を容易に大量に製造し採用することができると共に、容器使用時に中栓を離脱して剥がし用把持片部を手指でもって強力にシール材を引っ張ることができ、シール材の貼着部を容器開口縁部から容易に剥ぎ取ることができ、再度、中栓を装着して中栓の吐出孔を利用して内容物を確実に取り出すことができる効果がある。
【００１５】
また、本発明は、請求項２に記載のように、請求項１に記載のシール容器において、容器開口周辺部と中栓スカート部との装着部が嵌着による装着部である構成を有することにより、容器開口部に中栓を回転させないで直線的にワンタッチで装着することができるから、シール材の剥がし用把持片部が把持片用空間部に容易に合致させて収納することができる効果がある。
また、本発明は、請求項３に記載のように、請求項１に記載のシール容器において、容器開口周辺部と中栓スカート部との装着部が螺合による装着部である構成を有することにより、中栓を容器開口部に確実に締め付け固定することができる効果がある。
【００１６】
また、本発明は、請求項４に記載のように、請求項１、２又は３に記載のシール容器において、把持片用空間部が容器開口周辺部の全周に渡って設けてある構成を有することにより、シール材の剥がし用把持片部の形状に係わらずに、剥がし用把持片部を自由に把持片用空間部に収容することができる効果がある。
また、本発明は、請求項５に記載のように、請求項１乃至４のいずれかに記載のシール容器において、把持片用空間部が容器開口周辺部の一個所又は複数個所に設けてある構成を有することにより、シール材の剥がし用把持片部が一個所又は複数個所に設けてある剥がし用把持片部を把持片用空間部に収容することができる効果がある。
【００１７】
また、本発明は、請求項６に記載のように、請求項１乃至５のいずれかに記載のシール容器において、把持用空間部が容器開口縁部の貼着部の下方に指先で持ち易い長さに設けてある構成を有することにより、シール材の剥がし用把持片部を容器開口縁部の貼着部から指先で持ち易い長さにすることができ、シール材を容易に剥がすことができる効果がある。
また、本発明は、請求項７に記載のように、請求項１乃至６のいずれかに記載のシール容器において、シール材の剥がし用把持片部が把持片用空間部に対応して設けてある構成を有することにより、シール材の剥がし用把持片部を対応する把持片用空間部に収納して熱溶着することができる効果がある。
【００１８】
また、本発明は、請求項８に記載のように、請求項７に記載のシール容器において、シール材の剥がし用把持片部が貼着部の全周に渡って設けてある構成を有することにより、シール材を任意の位置から剥がし用把持片部を引っ張って剥がすことができる効果がある。
また、本発明は、請求項９に記載のように、請求項７に記載のシール容器において、シール材の剥がし用把持片部が貼着部の周辺の一個所又は複数個所に対応して個別に設けてある構成を有することにより、剥がし用把持片部を容器開口周辺部の一個所又は複数個所に設けてある把持片用空間部に収納して熱溶着することができる効果がある。
【００１９】
また、本発明は、請求項１０に記載のように、請求項７乃至９のいずれかに記載のシール容器において、シール材の剥がし用把持片部が貼着部の外縁部から指先で持ち易い長さに設けてある構成を有することにより、シール材の剥がし用把持片部を手指によって持ち易いから、シール材を容器開口から容易に剥がすことができる効果がある。
また、本発明は、請求項１１に記載のように、請求項１乃至１０のいずれかに記載のシール容器において、把持片用空間部が容器開口周辺部に設けてある構成を有することにより、把持片用空間部が中栓スカート部に設けてなくても、容器開口周辺部だけでシール材の剥がし用把持片部を収容することができる効果がある。
【００２０】
また、本発明は、請求項１２に記載のように、請求項１１に記載のシール容器において、把持片用空間部が容器開口周辺部の一部又は全部を切り欠いて設けてある構成を有することにより、同じ面積のシール材で切り欠いた分だけ剥がし用把持片部の長さを長くすることができる効果がある。
また、本発明は、請求項１３に記載のように、請求項１１に記載のシール容器において、把持片用空間部が容器開口縁部の外径を容器開口周辺部より小さくすることによって設けてある構成を有することにより、同じ面積のシール材で外径を小さくした分だけ剥がし用把持片部の長さを長くすることができる効果がある。
【００２１】
また、本発明は、請求項１４に記載のように、請求項１乃至１３のいずれかに記載のシール容器において、把持片用空間部が容器開口周辺部に相対する中栓スカート部に設けてある構成を有することにより、把持片用空間部が容器開口周辺部に設けてなくても、中栓スカート部だけでシール材の剥がし用把持片部を収容することができる。
また、本発明は、請求項１５に記載のように、請求項１４に記載のシール容器において、把持片用空間部が中栓スカート部の外周に開口部を有する構成を有することにより、開口部からシール部材の剥がし用把持片部を視認することができる効果がある。
【００２２】
また、本発明は、請求項１６に記載のように、請求項１５に記載のシール容器において、把持片用空間部の開口部が中栓スカート部の切欠部からなる構成を有することにより、把持用空間部と中栓スカート部との相対部分に把持片用空間部を設けることなく、切欠部をそのまま把持片用空間部として利用することができるのみならず、中栓スカート部の長さより長い剥がし用把持片部を設けることができる効果がある。
また、本発明は、請求項１７に記載のように、請求項１５又は１６に記載のシール容器において、把持片用空間部の開口部からシール材の剥がし用把持片部が露出している構成を有することにより、開口部から剥がし用把持片部を外に出した状態で確実に把持片用空間に収容することができる効果がある。
【００２３】
また、本発明は、請求項１８に記載のように、請求項１乃至１７に記載のシール容器において、シール材を中栓内に収容し、剥がし用把持片部を把持片用空間部に対応する位置に装着して溶着部を熱溶着してなる構成を有することにより、シール材の剥がし用把持片部を把持片用空間部に対応する位置に収容して装着して溶着部を熱溶着するから、確実にシール材の剥がし用把持片部を把持片用空間部に収容することができる効果がある。
【発明を実施するための最良の形態】
【００２４】
本発明に係るシール容器によれば、容器開口部１の容器開口縁部２に熱溶着によりシール材２０を貼着し、その上に重ねて中栓１０を装着してなるシール容器において、熱溶着剤２１を施した剥がし用把持片部２２を一体に有するシール材２０を設け、中栓１０の天板部１１が少なくともシール材２０が容器開口縁部２に貼着する貼着部２３の上面に密着すると共に、容器開口縁部２の貼着部の下方の容器開口周辺部３と中栓スカート部１２との間に装着部３０を設け、該装着部３０の直接接触して係合する係合部分以外の非係合部に前記シール材２０の剥がし用把持片部２２を収容する把持片用空間部３１を設けてなる構成を有する。
【００２５】
このことにより、容器開口縁部２に熱溶着により貼着したシール材２０の剥がし用把持片部２２が把持片用空間部３１に収納されることによって、容器開口周辺部３及び中栓スカート部１２に密着することがないから、熱溶着剤を施してあっても貼着することがない効果がある。
また、把持用空間部３１を容器開口縁部２の貼着部の下方１ｍｍ以上、好ましくは２．５ｍｍ以上の長さに設け、シール材２０の剥がし用把持片部２２を容器開口縁部２の貼着部から１ｍｍ以上、好ましくは２．５ｍｍ以上の手指によって持ち易い長さにすることができ、シール材２０を容器開口縁部２から容易に剥がすことができる。
【００２６】
よって、熱溶着剤２１を一面に施したシール材２０の原材料から、打ち抜き手段によって剥がし用把持片部２２を有するシール材２０を一体に打ち抜くことができるから、剥がし用把持片部２２を有するシール材２０を効率よく容易に大量に製造することができると共に、容器使用時に中栓１０を離脱して剥がし用把持片部２２を手指で持って滑ることなく強力にシール材１０を引っ張ることができ、シール材１０の貼着部２３を容器開口縁部２から容易に剥ぎ取ることができ、また、剥ぎ取った後、再度、中栓１０を容易に装着することができ、その中栓の吐出孔等を利用して内容物を確実に取り出すことができる効果がある。
【実施例１】
【００２７】
図１に記載の実施例１の場合、殆ど弾性変形しないガラス製の容器開口縁部２の貼着部の下方の容器開口周辺部３と、弾性変形しないプラスチック製の中栓スカート部１２との間に嵌着による装着部３０が設けてある。この実施例の場合、装着部３０は容器開口周辺部３側に凹溝部３２が設けてあると共に、中栓スカート部１２側に突起部１３が設けてある。
なお、嵌着による装着部３０は、この実施例とは逆に容器開口周辺部３側に突起部が設けてあると共に、中栓スカート部１２側に凹溝部が設けてあっても良いし、また、容器開口周辺部３と中栓スカート部１２との間に突起部と凹溝部の嵌着による装着部３０が全周に渡って設けてあっても、間欠的に設けてあっても、交互に設けてあっても、高さや深さを変えて設けてあっても良い。
【００２８】
この嵌着による構成を有することにより、容器開口部１に中栓１０を回転させないで直線的にワンタッチで装着することができるから、シール材２０の剥がし用把持片部２２を把持片用空間部３１に容易に合致させて収納することができる効果がある。
また、突起部と凹溝部の嵌着による装着部３０が間欠的に設けてある場合には、容器開口部１に対して中栓１０を相対的に回転することによって中栓１０を外すことができる。
また、この実施例１の場合、図１１に記載のように、把持片用空間部３１が容器開口周辺部３に相対する中栓スカート部１２に設けてあることにより、把持片用空間部３１が容器開口周辺部３に設けてなくても、中栓スカート部１２だけでシール材２０の剥がし用把持片部２２を収容することができる。
【００２９】
この図１１の把持用空間部３１が一個所に設けてある実施例に対しては、図１８に記載のシール材２０の一個所に突出して設けた剥がし用把持片部２２が合致して収容されるように構成してあるが、図１０に記載のように、把持用空間部３１が中栓スカート部１２の全周に設けてある場合には、図１５の剥がし用把持片部２２が貼着部２３を中心に全周に均等に設けたシール部材２０、図１６の剥がし用把持片部２２が貼着部２３に対して偏位して設けたシール部材２０、図１７又は図２０の剥がし用把持片部２２が貼着部２３に対して四角形状又は三角形状に設けてあるシール部材２０、図１８、図１９、又は、図２１の剥がし用把持片部２２が貼着部２３に対して一個所、四個所又は五個所のように突出して設けてあるシール部材２０が採用可能である。
なお、図１８、図１９、又は、図２１の剥がし用把持片部２２が貼着部２３に対して一個所、四個所又は五個所のように突出して設けてあるシール部材２０は、把持用空間部３１が中栓スカート部１２の一個所又は複数個所に間欠的に設けてある場合に対応している。
【実施例２】
【００３０】
図２に記載の実施例２の場合、容器開口周辺部３と中栓スカート部１２との間に設けた嵌着による装着部３０の構成は、実施例１の場合と同様である。また、この実施例２の場合、図１２に記載のように、把持片用空間部３１が中栓スカート部１２に相対する容器開口周辺部３に設けてある。このことにより、把持片用空間部３１が中栓スカート部１２に設けてなくても、容器開口周辺部３だけでシール材２０の剥がし用把持片部２２を収容することができる。
なお、把持用空間部３１が容器開口周辺部３の全周に設けてある場合、又は、一個所又は複数個所に間欠的に設けてある場合に対応するシール部材２０の構成は、実施例１の場合と同様である。
【実施例３】
【００３１】
図３に記載の実施例３の場合、容器開口周辺部３と中栓スカート部１２との間に設けた嵌着による装着部３０の構成は、実施例１、２の場合と同様である。また、この実施例３の場合、図１３に記載のように、把持片用空間部３１が、相対する中栓スカート部１２と容器開口周辺部３との両側に設けてある。このことにより、把持片用空間部３１が相対する容器開口周辺部３と中栓スカート部１２に浅く設けてあったとしても、シール材２０の剥がし用把持片部２２を容易に収容することができる。
図４の実施例では、把持用空間部３１の下側に連続して嵌着による装着部３０を設けたものである。
なお、把持用空間部３１が容器開口周辺部３の全周に設けてある場合、又は、一個所又は複数個所に間欠的に設けてある場合に対応するシール部材２０の構成は、実施例１又は２の場合と同様である。
【実施例４】
【００３２】
図５に記載の実施例４の場合、容器開口周辺部３と中栓スカート部１２との装着部３０にねじ溝が設けてあり、螺合による装着部となっている。この構成により、中栓１０を容器開口部１に確実に締め付け固定することができる効果がある。
また、この実施例４の場合、把持片用空間部３１が容器開口縁部２から容器開口周辺部３に一周辺部を切り欠いて設けてある。この構成を有することにより、図２２に記載のように、シール材２０の剥がし用把持片部２２を二個所に長く設定して容器開口縁部２を切り欠いた部分に収容可能にし、中栓１０には把持用空間部３１を設ける必要がない効果がある。
【実施例５】
【００３３】
図６に記載の実施例５の場合、螺合による装着部３０の構成は実施例４と同様である。また、この実施例５の場合、把持片用空間部３１が容器開口縁部２から容器開口周辺部３に全周辺部を切り欠いて設けてあると共に、容器開口縁部２の外径を容器開口周辺部３より小さくすることによって設けてある。この構成を有することにより、円形の全周に渡る剥がし用把持部を有するシール材２０を用いることができ、同じ面積のシール材２０で容器開口縁部２の外径を小さくした分だけ剥がし用把持片部の長さを長くすることができると共に、中栓１０には把持用空間部３１を設ける必要がない効果がある。
なお、図７に記載の把持片用空間部３１は、容器開口縁部２から容器開口周辺部３に設けた嵌着用の装着部３０にかけて、周辺部の一部又は全部を切り欠いて設けた形態のものである。
【実施例６】
【００３４】
図８に記載の実施例６の場合、容器開口周辺部３と中栓スカート部１２との間に設けた嵌着による装着部３０の構成は、実施例１の場合と同様である。
ただし、この実施例６の場合、図９に記載のように、中栓スカート部１２には、間欠的な切欠部１４からなる開口部が設けてあり、把持片用空間部３１が中栓スカート部１２の外周に設けた切欠部１４で構成されている。そのため、中栓スカート部１２は、図９に記載のように、先端部に嵌合用の突起部１３を有する爪付脚部状をなすように構成してある。
【００３５】
この構成により、図８に記載のように、シール部材２０の剥がし用把持片部２２を視認することができる効果があると共に、図１４に記載のように、容器開口周辺部３と中栓スカート部１２との相対部分に把持片用空間部３１を設けることなく、切欠部１４をそのまま把持片用空間部３１として利用することができるのみならず、図１０に記載のように、シール部材２０に中栓スカート部１２の長さより長い剥がし用把持片部２２を設けることができる効果がある。
【図面の簡単な説明】
【００３６】
【図１】本発明に係るシール容器の一実施例の要部を一部縦断して示す一部概略縦断正面図。
【図２】他の実施例の要部を一部縦断して示す一部概略縦断正面図。
【図３】他の実施例の要部を一部縦断して示す一部概略縦断正面図。
【図４】他の実施例の要部を一部縦断し拡大して示す一部概略縦断拡大正面図。
【図５】他の実施例の要部を平面概略図と一部縦断概略縦断正面図で示す説明図。
【図６】他の実施例の要部を平面概略図と一部縦断概略縦断正面図で示す説明図。
【図７】他の実施例の要部を一部縦断し拡大して示す一部概略縦断拡大正面図。
【図８】他の実施例の要部を示す一部概略正面図。
【図９】その実施例の要部を示す概略底面図。
【図１０】他の実施例の要部を一部横断して示す一部概略横断面。
【図１１】他の実施例の要部を一部横断して示す一部概略横断面。
【図１２】他の実施例の要部を一部横断して示す一部概略横断面。
【図１３】他の実施例の要部を一部横断して示す一部概略横断面。
【図１４】他の実施例の要部を一部横断して示す一部概略横断面。
【図１５】本発明に係るシール材の一実施例を示す概略平面説明面。
【図１６】他のシール材の一実施例を示す概略平面説明面。
【図１７】他のシール材の一実施例を示す概略平面説明面。
【図１８】他のシール材の一実施例を示す概略平面説明面。
【図１９】他のシール材の一実施例を示す概略平面説明面。
【図２０】他のシール材の一実施例を示す概略平面説明面。
【図２１】他のシール材の一実施例を示す概略平面説明面。
【図２２】他のシール材の一実施例を示す概略平面説明面。
【符号の説明】
【００３７】
１      容器開口部
２      容器開口縁部
３      容器開口周辺部
１０    中栓
１１    天板部
１２    中栓スカート部
１３    突起部
１４    切欠部
２０    シール材
２１    熱溶着部
２２    剥がし用把持片部
２３    貼着部
３０    装着部
３１    把持片用空間部
３２    凹溝部  
【図１】
2007168805.tif 000003
【図２】
2007168805.tif 000004
【図３】
2007168805.tif 000005
【図４】
2007168805.tif 000006
【図５】
2007168805.tif 000007
【図６】
2007168805.tif 000008
【図７】
2007168805.tif 000009
【図８】
2007168805.tif 000010
【図９】
2007168805.tif 000011
【図１０】
2007168805.tif 000012
【図１１】
2007168805.tif 000013
【図１２】
2007168805.tif 000014
【図１３】
2007168805.tif 000015
【図１４】
2007168805.tif 000016
【図１５】
2007168805.tif 000017
【図１６】
2007168805.tif 000018
【図１７】
2007168805.tif 000019
【図１８】
2007168805.tif 000020
【図１９】
2007168805.tif 000021
【図２０】
2007168805.tif 000022
【図２１】
2007168805.tif 000023
【図２２】
2007168805.tif 000024